(57)【要約】【課題】      スニーカー等のベロ部が垂れ下がる恐れのある靴であっても、容易に足を挿入することができるようにする。【解決手段】  一対の柄１０と連結部２０とはプラスチックにより一体に成型されている。柄１０は、連結部２０側から先端に向かって、第１支持部１１、第２支持部１２、へら部１３が形成されている。第１支持部１１は外方向に凸となるように円弧状に形成され、第２支持部１２は内方向に凸となるように円弧状に形成され、へら部１３は平板状に形成されている。連結部２０は略「Ｕ」字状に弾性を持たせて形成されており、負荷をかけない状態において、柄１０のへら部１３間の間隔が靴の挿入口の長さより長くなるようになっている。【選択図】        図１
2005237533.tif 000002
【特許請求の範囲】
【請求項１】
一対の柄と、該一対の柄を連結した連結部とを有し、前記柄は、先端において平板状に形成されたへら部と、該へら部と連結部との間において略円弧状に形成された支持部とを具備することを特徴とする靴べら。
【請求項２】
前記連結部に、一対の柄を外方向に付勢するように弾性を持たせたことを特徴とする靴べら。
【請求項３】
前記連結部が略円弧状に形成されている請求項１又は２記載の靴べら。
【発明の詳細な説明】
【技術分野】
【０００１】
本発明は、靴を履く際、足を円滑に挿入できるようにした靴べらに関し、さらに詳しくは、スニーカー等のようにベロ部（靴紐の内側に設けられ、足の甲を保護する部分）が内側に垂れ下がる靴において、ベロ部の垂れ下がりを防止するとともに、踵を円滑に挿入できるようにした靴べらに関するものである。
【背景技術】
【０００２】
スニーカー等のようにベロ部が垂れ下がる靴を履くには、足を挿入する際、ベロ部を巻き込む恐れがあるので、まず、ベロ部を持ち上げた状態で足のつま先及び足の甲部分を挿入し、その後、指又は靴べらを用いて踵を滑り込ませている。しかしながら、ベロ部を持ち上げる際、腰を屈めた状態で行わなければならず、高齢者、身障者等の体の不自由な者にとっては困難な作業となっていた。
【０００３】
そこで、腰を屈めなくても円滑に靴を履くことができるようにするために、一方の靴べらの柄の先端にへら部を形成するとともに、他方の靴べらの柄の先端にすべり止め部を形成、へら部とすべり止め部とでベロ部分をつまむようにして引っ張ることにより、つま先からの押し入れをスムーズにできるようにした靴べらが提案されている（特許文献１参照）。
【０００４】
また、上部にハンドルを有するアーム部と、該アーム部に軸着され把手部の操作により下部が開く可動アーム部と、前記アーム部下端付近から接続体を介して側面方向に位置するように設けられた甲案内片と、前記可動アーム部下端付近から接続体を会して側面方向に位置するように設けられた踵案内片とを有する靴装着用器具が提案されている（特許文献２参照）。
【０００５】
【特許文献１】実用新案登録第３０８３８５０号公報
【特許文献２】特許第３４５１０８４号公報
【発明の開示】
【発明が解決しようとする課題】
【０００６】
しかしながら、上述した靴べらは、まず、へら部とすべり止め部とでベロ部分を引っ張りつま先を挿入し、次に、靴べらを外してベロ部分を開放した後、へら部を用いてかかとを滑り込ませるものである。したがって、２段階の作業となっており、高齢者、身障者等にとっては作業が面倒なものであった。また、つま先を挿入する際、踵が靴の踵部（踵を保護する部分）を内側へ巻き込む場合があり、確実に足を挿入することができるものでは無かった。
【０００７】
また、上述した靴装着用器具は、複雑な構造となっているので高価なものであった。
【０００８】
本発明は、以上の問題点を解決し、一度の作業で確実に靴を履くことができ、かつ、極めて簡単な構造で安価に製造することができる靴べらを提供することを目的とする。
【課題を解決するための手段】
【０００９】
本発明による靴べらは、一対の柄と、該一対の柄を連結した連結部とを有し、前記柄は、先端において平板状に形成されたへら部と、該へら部と連結部との間において略円弧状に形成された支持部とを具備することを特徴として構成されている。
【発明の効果】
【００１０】
本発明による靴べらにおいては、一方の柄のへら部で靴のベロ部の垂れ下がりを防止して押し上げるとともに、他方の柄のへら部を靴の踵部に当接させることにより、足を挿入できる空間を確保でき、ベロ部や踵部を巻き込むことなく容易に足を滑り込ませて挿入することができる。また、へら部は平板状に形成されているので、へら部自体が容易に変形するとともに、へら部と支持部との境界を中心に容易に変形し、容易に足を滑り込ませることができる。また、支持部は円弧状に形成されているので、剛性が大きく変形し難くなっており、へら部の操作を確実に行なうことができる。
【発明を実施するための最良の形態】
【００１１】
本発明による靴べらは、一対の柄と連結部とを有し、連結部が一対の柄を連結している。柄と連結部とは同一材質で一体に形成されていても（例えば、プラスチックにより一体に形成する）、柄と連結部とを異なる材質で形成し、一体に連結してもよい（例えば、連結部を金属で形成し、柄をプラスチックで形成する）。柄の長さは、起立した状態で靴を履く場合、椅子等に座った状態で靴を履く場合、床に座った状態で靴下を履く場合等に対応できるように適宜設定でき、例えば、１００〜３０ｃｍ程度の範囲に適宜設定することができる。
【００１２】
柄は、先端において平板状に形成されたへら部と、該へら部と連結部との間において円弧状に形成された支持部とが形成されている。へら部は、靴を履く際、ベロ部の垂れ下がりを防止しつつ押し上げたり、踵の滑りこみを円滑にするためのものであり、平板状に形成されて変形できるようになっている。また、へら部の変形を容易にするため、支持部より薄肉に形成してもよい。
【００１３】
支持部は、円弧状に形成されて剛性が大きくなっており、靴を履く際、へら部によるベロ部の押し上げ等のへら部の操作を確実に行なえるようになっている。すなわち、支持部により靴べらの操作性を確保するとともに、へら部により足の挿入作業を容易にしているものである。また、支持部を２段に分けて形成することができる。例えば、外側が凸になるようにした支持部と、内側が凸になるようにした支持部とを連続して形成してもよい。円弧状は、完全な円弧状である必要は無く、多角形状であっても全体として円弧状であればよい。また、円弧状は、内側に凸であっても、外側に凸であってもよいが、内側に凸であることが好ましい。
【００１４】
前記連結部に、一対の柄を外方向に付勢するように弾性を持たせることが好ましい。すなわち、柄を外方向に付勢するように弾性を持たせることにより、へら部を靴に挿入した際、連結部の弾性力により、柄を広げるような操作をすることなく、へら部をベロ部と踵部に当接させることができる。また、プラスチックで形成した場合、支持部と同様に円弧状に形成することができ、円弧状に形成することにより、平板状に形成した場合より、弾性を大きくすることができる。
【００１５】
本発明による靴べらの第１実施形態を図面を参照して説明する。
【００１６】
図１は本発明による靴べらの斜視図、図２は本発明による靴べらの側面図、図３は図２中Ａ−Ａ線切断端面図、図４は図２中Ｂ−Ｂ線切断端面図、図５は図２中Ｃ−Ｃ線切断端面図、図６は図２中Ｄ−Ｄ線切断端面図、図７は本発明による靴べらの使用状態を示す図である。
【００１７】
これらの図において、１０は一対の柄、２０は連結部で、一対の柄１０と連結部２０とはプラスチックにより一体に成型されており、柄１０の長さは、立った状態で地面に届く程度の長さ、例えば７０ｃｍ程度に設定されている。柄１０は、連結部２０側から先端に向かって、第１支持部１１、第２支持部１２、へら部１３が形成されており、図４に示すように、第１支持部１１は内側方向に凸となるように断面円弧状に形成され、図５に示すように、第２支持部１２は外側方向に凸となるように断面円弧状に形成され、図６に示すように、へら部１３は断面平板状に形成されている。
【００１８】
前記連結部２０は略「Ｕ」字状に弾性を持たせて形成されており、負荷をかけない状態において、柄１０のへら部１３間の間隔ａが靴の挿入口の長さより長くなるようになっている。また、図３に示すように、連結部２０は断面平板状に形成されている。
【００１９】
以上のような靴べらを用いて靴を履くには、両方の第１支持部１１を持ち内側押し込んだ状態で把持する。すると、両方の柄１０は連結部２０の弾性に抗して内側へ移動してへら部１３の間隔が小さくなって接触した状態となる。この時、第１支持部１１及び第２支持部１２は断面が円弧状に形成されているので、ある程度の剛性を持っており、曲がったりすることがない。
【００２０】
このへら部１３が接触した状態で靴３０の挿入口３１にへら部１３を挿入し、その後、第１支持部１１を把持している手の力を弱める。すると、連結部２０の弾性により柄１０が外方向に開くので、図７に示すように、一方のへら部１３が靴３０のベロ部３２を斜前方に押し上げた状態となり、また、他方のへら部１３は靴３０の踵部３３に当接した状態となっている。
【００２１】
次に、この状態で足のつま先部分から甲部分をベロ部３２を押し上げたへら部１３に沿って内部に挿入するとともに、踵を踵部３３に当接したへら部１３に押し当てつつ滑り込ませる。この時、足により両へら部１３は押圧されるが、平板状に形成されているので、第２支持部１２との境界部分を中心として容易に折曲され、また、へら部１３自体においても容易に変形する。したがって、足の甲部分の挿入に伴ってへら部１３が変形するので、足の甲部分を容易に挿入できるとともに、踵の滑り込みに伴いへら部１３も変形するので、踵を容に滑り込ませることができる。
【００２２】
こうして足全体を挿入した後、へら部１３を引き上げ靴を履くことが完了するが、へら部１３の引き上げにおいて、へら部１３は変形しつつ引き抜かれるので足を圧迫することなく円滑に引き抜かれる。したがって、屈むこと無く、片手で、しかも一度の作業で確実かつ容易に靴を履くことができる。
【００２３】
次に、本発明による靴べらの第２実施形態を図面を参照して説明する。
【００２４】
図８は本発明による靴べらの斜視図、図９は本発明による靴べらの側面図、図１０は図９中Ｅ−Ｅ線切断端面図、図１１は図９中Ｆ−Ｆ線切断端面図、図１２は図９中Ｇ−Ｇ線切断端面図である。
【００２５】
これらの図において、４０は一対の柄、５０は連結部で、一対の柄４０と連結部５０とはプラスチックにより一体に成型されており、柄４０の長さは、床に座った状態で靴下を履ける程度の長さ、例えば３０ｃｍ程度に設定されている。柄４０は、連結部５０側から先端に向かって、支持部４１、へら部４２が形成されており、図１１に示すように、支持部４１は内側方向に凸となるように円弧状に形成され、図１２に示すように、へら部４２は平板状に形成されている。
【００２６】
前記連結部５０は略「Ｕ」字状に弾性を持たせて形成されており、負荷をかけない状態において、柄４０のへら部４２間の間隔ｂが靴下の挿入口の長さより長くなるようになっている。また、連結部５０も、図１０に示すように、内側方向に凸となるように円弧状に形成されている。
【００２７】
以上のような靴べらを用いて靴下を履くには、前記第１実施形態の靴べらで靴を履く場合と略同様に、へら部４２で靴下の挿入口を押し広げ、この状態で足を靴下内に挿入する。
【図面の簡単な説明】
【００２８】
【図１】本発明による靴べらの第１実施形態の斜視図
【図２】本発明による靴べらの第１実施形態の側面図
【図３】図２中Ａ−Ａ線切断端面図
【図４】図２中Ｂ−Ｂ線切断端面図
【図５】図２中Ｃ−Ｃ線切断端面図
【図６】図２中Ｄ−Ｄ線切断端面図
【図７】本発明による靴べらの第１実施形態の使用状態を示す図
【図８】本発明による靴べらの第２実施形態の靴べらの斜視図
【図９】本発明による靴べらの第２実施形態の靴べらの側面図
【図１０】図９中Ｅ−Ｅ線切断端面図
【図１１】図９中Ｆ−Ｆ線切断端面図
【図１２】図９中Ｇ−Ｇ線切断端面図
【符号の説明】
【００２９】
１０  柄
１１  第１支持部
１２  第２支持部
１３  へら部
２０  連結部
３０  靴
３１  挿入口
３２  ベロ部
３３  踵部
４０  柄
４１  支持部
４２  へら部
５０  連結部
【図１】
2005237533.tif 000003
【図２】
2005237533.tif 000004
【図３】
2005237533.tif 000005
【図４】
2005237533.tif 000006
【図５】
2005237533.tif 000007
【図６】
2005237533.tif 000008
【図７】
2005237533.tif 000009
【図８】
2005237533.tif 000010
【図９】
2005237533.tif 000011
【図１０】
2005237533.tif 000012
【図１１】
2005237533.tif 000013
【図１２】
2005237533.tif 000014